(57)【要約】【課題】可動ルーバー面格子を閉じた状態で室内側から容易にロックできると共に、ルーバー開放状態で室外側から操作できないようにした窓装置を提供する。【解決手段】周枠４内にルーバー５を横方向に並列して各ルーバー５の両端部を支軸６で周枠４の縦框４ｃに軸支し、ルーバー５の支軸６を連動回転可能に連結すると共に、各ルーバー５を所要開閉位置に固定できるようにしてなる可動ルーバー面格子１の上端部を、外枠２に外開き式に開閉可能に枢着した窓装置において、周枠４の下框４ｂの両端部に面格子ロック機構３を設け、各面格子ロック機構３は、周枠下框４ｂの室内側面に、回転金具１０の一端部を、ルーバー５が閉じている時のみその閉じたルーバー５の室内側面に沿って起立姿勢と横転姿勢とに亙って回転可能に枢着し、回転金具１０の他端部には、面格子１が閉鎖位置にあって回転金具１０が起立姿勢から横転姿勢に回転した時に外枠２の室内側面下端部に係合して面格子１を閉鎖位置に固定するロック部片２４を設ける。【選択図】図４
2011094348.tif 000002
【特許請求の範囲】
【請求項１】
周枠内に多数のルーバーを横方向に並列して、各ルーバーの両端部を支軸で周枠の縦框に軸支し、これらルーバーの支軸を連動回転機構により連動回転可能に連結すると共に、各ルーバーを所要開閉位置に固定できるようにしてなる可動ルーバー面格子の上端部を、外枠に外開き式に開閉可能に枢着した窓装置において、前記周枠の下框の両端部に前記面格子を閉鎖位置に固定する面格子ロック機構を設け、この面格子ロック機構は、周枠下框の室内側面に、回転金具の一端部を、ルーバーが閉じている時のみその閉じたルーバーの室内側面に沿って起立姿勢と横転姿勢とに亙って回転できるように枢着し、回転金具の他端部には、面格子が閉鎖位置にあって回転金具が起立姿勢から横転姿勢に回転した時に外枠の室内側面下端部に係合して面格子を閉鎖位置にロックするロック部片を設けてなる窓装置。
【請求項２】
前記回転金具の他端側には、ルーバーが閉じて回転金具が起立姿勢から横転姿勢に回転した時にラッチをルーバー周枠側の係合用開口部に係合させることによって、回転金具を横転姿勢に保持するラッチ錠を設けてなる請求項１に記載の窓装置。
【請求項３】
前記ロック部片には、回転金具が起立姿勢から横転姿勢に回転した時に外枠の室内側面下端部に係合する時に外枠の室内側面下端部に突設した被係止部に上方より係止する係止部を設けてなる請求項１又は２に記載の窓装置。
【請求項４】
前記ラッチ錠は、常時はバネにより錠本体から突出付勢されて前記係合用開口部に係合するラッチを解錠操作するためのレバーを有し、このレバーは、横転姿勢にある回転金具の上部側に位置して、この位置から押し下げることにより、バネに抗してラッチを前記係合用開口部から引き抜いて解錠するようになっている請求項２又は３に記載の窓装置。
【発明の詳細な説明】
【技術分野】
【０００１】
本発明は、可動ルーバー面格子を外枠に外開き式に開閉可能に取り付けた窓装置に関するものである。
【背景技術】
【０００２】
可動ルーバー面格子としては、特許文献１に記載されたものがある。これは、周枠内に多数のルーバーを横方向に並列して、各ルーバーの両端部を支軸で周枠の縦框に軸支し、これらルーバーの支軸を連動回転機構により連動回転可能に連結すると共に、各ルーバーをルーバーロック手段によって所要開閉位置に固定できるようにしてなるものである。
【先行技術文献】
【特許文献】
【０００３】
【特許文献１】特開平１１−３０３５３７号公報
【発明の概要】
【発明が解決しようとする課題】
【０００４】
上記のような可動ルーバー面格子の上端部を、建物の窓開口部に設けられた外枠に外開き式に開閉可能に取り付ける場合には、この面格子を外枠に対し閉鎖した位置に固定するる必要があるが、この固定手段として、単なる掛け金や留め金のようなものを用いると、ルーバーが開放した状態の時に室外側から掛け金等を容易に外すことができるため、防犯上の問題があり、またルーバー開放時に室外側から容易に外されないように大掛かりな構造にすれば、コストが高くつく上に、室内側からの開閉操作を容易に行えない、といった別の問題が生ずることが考えられる。
【０００５】
本発明は、上記の課題に鑑み、可動ルーバー面格子を外枠に対し閉じた状態で室内側から容易に固定できると共に、ルーバー開放状態で室外側から操作できないようにし、更に構造簡単にしてコストの低廉化を図ることのできる窓装置を提供することを目的としている。
【課題を解決するための手段】
【０００６】
上記課題を解決するための手段を、後述する実施形態の参照符号を付して説明すると、請求項１に係る発明は、周枠４内に多数のルーバー５を横方向に並列して、各ルーバー５の両端部を支軸６で周枠４の縦框４ｃに軸支し、これらルーバー５の支軸６を連動回転機構７により連動回転可能に連結すると共に、各ルーバー５を所要開閉位置に固定できるようにしてなる可動ルーバー面格子１の上端部を、外枠２に外開き式に開閉可能に枢着した窓装置において、前記周枠４の下框４ｂの両端部に前記面格子１を閉鎖位置にロックする面格子ロック機構３を設け、この面格子ロック機構３は、周枠下框４ｂの室内側面に、回転金具１０の一端部を、ルーバー５が閉じている時のみその閉じたルーバー５の室内側面に沿って起立姿勢と横転姿勢とに亙って回転できるように枢着し、回転金具１０の他端部には、面格子１が閉鎖位置にあって回転金具１０が起立姿勢から横転姿勢に回転した時に外枠２の室内側面下端部に係合して面格子１を閉鎖位置に固定するロック部片２４を設けてなることを特徴とする。
【０００７】
請求項２は、請求項１に記載の窓装置において、前記回転金具１０の他端側には、ルーバー５が閉じて回転金具１０が起立姿勢から横転姿勢に回転した時にラッチ１５をルーバー周枠４側の係合用開口部１７に係合させることによって、回転金具１０を横転姿勢に保持するラッチ錠１４を設けてなることを特徴とする。
【０００８】
請求項３は、請求項１又は２に記載の窓装置において、前記ロック部片２４には、回転金具１０が起立姿勢から横転姿勢に回転した時に外枠２の室内側面下端部に係合する時に外枠２の室内側面下端部に突設した被係止部１２に上方より係止する係止部１１を設けてなることを特徴とする。
【０００９】
請求項４は、請求項２又は３に記載の窓装置において、前記ラッチ錠１４は、常時はバネ１９により錠本体１８から突出付勢されて前記係合用開口部１７に係合するラッチ１５を解錠操作するためのレバー２０を有し、このレバー２０は、横転姿勢にある回転金具１０の上部側に位置して、この位置から押し下げることにより、バネ１９に抗してラッチ１５を前記係合用開口部１７から引き抜いて解錠するようになっていることを特徴としている。
【発明の効果】
【００１０】
上記解決手段による発明の効果を、後述する実施形態の参照符号を付して説明すると、請求項１に係る発明によれば、面格子ロック機構３によって可動ルーバー面格子１を閉鎖位置にロック（固定）するには、各回転金具１０を起立姿勢から横転姿勢に回転させて、回転金具１０の一端部側にあるロック部片２４を外枠２の室内側面に係合させればよく、またロック状態を解除するには回転金具１０を横転姿勢から起立姿勢に回転すればよいから、面格子１のロック及び解除操作が簡単となる。また、面格子１が面格子ロック機構３によって閉鎖位置にロックされ、各ルーバー５が開放位置にロックされた状態において、不法侵入者が、面格子１の外側から周枠４の下框４ｂと最下段のルーバー５との隙間より手を差し込むなどして、横転姿勢にある回転金具１０を持ち上げて起立姿勢に回転しようとしても、開放位置にある最下段のルーバー５に当たるため、起立させることができず、また不法侵入者が回転金具１０をある程度まで持ち上げることができても、ロック部片２４が外枠２の室内側面に対し係合状態にあるから、ロック解除することができず、従って勝手に面格子１を開放させることができず、防犯性能に優れている。
【００１１】
請求項２に係る発明によれば、回転金具１０の他端部１０ｂ側には、ルーバー５が閉じて回転金具１０が起立姿勢から横転姿勢に回転した時にラッチ１５をルーバー周枠４側の係合用開口部１７に係合させることによって回転金具１０を横転姿勢に保持するラッチ錠１４を設けているから、ラッチ錠１４を施錠することによって、回転金具１０の解錠方向（上向き）への回転を確実に阻止して、防犯性能を高めることができる。
【００１２】
請求項３に係る発明によれば、ロック部片２４には、回転金具１０が起立姿勢から横転姿勢に回転した時に外枠２の室内側面下端部に係合する時に外枠２の室内側面下端部に突設した被係止部１２に上方より係止する係止部１１を設けているから、係止部１１を被係止部１２に係止させることによって、ロック部片２４をロック位置に位置決めした状態で的確に固定させることができる。
【００１３】
請求項４に係る発明によれば、ラッチ錠１４は、常時はバネ１９により錠本体１８から突出付勢されて係合用開口部１７に係合するラッチ１５を解錠操作するためのレバー２０を有し、このレバー２０は、横転姿勢にある回転金具１０の上部側に位置して、この位置から押し下げることにより、バネ１９に抗しラッチ１５を係合用開口部１７から引き抜いて解錠するようにしたもので、構造が簡単で、レバー２０を押すだけで解錠できるから、安価に提供できると共に、使い勝手が良い。
【図面の簡単な説明】
【００１４】
【図１】(a) は本発明に係る窓装置を室内側から見た正面図、(b) は(a) のＸ−Ｘ線断面図である。
【図２】図１の(a) のＹ−Ｙ線拡大断面図である。
【図３】面格子が開放した状態の窓装置の一部を室内側から見た斜視図である。
【図４】(a) は面格子が閉じた位置にあって面格子ロック機構の回転金具が起立姿勢で非ロック状態の窓装置の一部を室内の斜め内側方向から見た斜視図、(b) は(a) と同状態を室内の正面側から見た斜視図である。
【図５】面格子が閉鎖されて、ルーバーが閉じ、面格子ロック機構の回転金具が横転姿勢でロック状態にある窓装置の一部を室内の正面側向から見た斜視図である。
【図６】図５の状態にある窓装置の一部断面正面図である。
【図７】面格子が閉鎖されてルーバーが開き、面格子ロック機構の回転金具が横転姿勢でロック状態にある窓装置の一部を室内の斜め内側方向から見た斜視図である。
【図８】ルーバーロック機構の取付状態を窓装置の室内側から見た斜視図である。
【図９】ルーバーロック機構の側面図である。
【図１０】ルーバーロック機構の横断面図である。
【発明を実施するための形態】
【００１５】
以下に本発明の好適な一実施形態を図面に基づいて説明すると、図１において、１は可動ルーバー面格子、２は可動ルーバー面格子１の上端部をヒンジ（図示省略）により枢着して外開き式に開閉可能に支持する外枠で、建物の窓開口部（図示省略）に取り付けられる。３は可動ルーバー面格子１を閉鎖位置に固定する面格子ロック機構である。
【００１６】
可動ルーバー面格子１は、図１及び図２に示すように、上下框４ａ，４ｂと左右縦框４ｃ，４ｃとからなる周枠４内に多数のルーバー５を横方向に並列して、各ルーバー５の両端部を夫々支軸６によって周枠４の左右縦框４ｃ，４ｃに回転可能に取り付けたもので、具体的に云えば、各ルーバー５は、アルミ押出中空形材からなり、その両端部に細長状端部キャップ２１，２１が嵌着され、各端部キャップ２１の長手方向中央部に支軸６が突設され、この支軸６が、各縦框４ｃに取り付けられた支持部材２２にブッシュ２３を介して回転自在に支持されている。
【００１７】
尚、各ルーバー５は、後述するように、所要のルーバー５に取り付けた回転操作ハンドル３１を回転操作することによって、全ルーバー５を一斉に開閉回転させることができると共に、ルーバーロック機構３２によって各ルーバー５を所要角度位置にロック（固定）できるようになっている。
【００１８】
そして、各ルーバー５の片方の支軸６は、連動回転機構７によって連動回転可能に連結され、この連動回転機構７は、図２に示すように、各ルーバー５の片方の支軸６に連結したクランクアーム８と、各クランクアーム８の先端部を枢支連結する連動杆９とによって構成される。また、外枠２は、上下横枠２ａ，２ｂと左右縦枠２ｃ，２ｃとによって形成される。
【００１９】
面格子ロック機構３は、周枠４を形成する下框４ｂの両端側に夫々設けられるもので、図３〜図６に示すように、各面格子ロック機構３は、面格子周枠４の下框４ｂの室内側面に、回転金具１０の一端部１０ａを、ルーバー５が閉鎖している時のみ、その閉じたルーバー５の室内側面に沿って起立姿勢（図３及び図４参照）と横転姿勢（図５参照）とに亙って回転できるように枢軸１３によって枢着し、回転金具１０の他端部１０ｂには、面格子１が閉鎖位置（図３〜図５参照）にあって回転金具１０が起立姿勢から横転姿勢に回転した時、外枠２の縦枠２ｃの内側面に突設された中縦枠部２ｃｏの室内側面下端部に係合して面格子１を閉鎖位置に固定するロック部片２４を設けると共に、その中縦枠部２ｃｏの室内側面下端部に設けた被係止部１２に上方より係止する係止部１１を設けることによって構成される。
【００２０】
上記面格子ロック機構３について図３〜図６によって更に詳しく説明すると、回転金具１０は、略矩形状の金属板からなるもので、一端部１０ａの片方の角部が面取りされて、丸くなっており（面取り部をＲで示す）、この一端部１０ａが、周枠４の下框４ｂの上面の室内外方向中央部に突設された立上部４ｂｏの室内側面に枢軸１３によって枢着され、下框４ｂの上面において図４の(a) ，(b) に示すような起立姿勢と図５に示すような横転姿勢とに亘って回転可能となっている。
【００２１】
この回転金具１０の他端部１０ｂには、図４の(a) ，(b) から分かるように、回転金具１０が起立姿勢から横転姿勢に回転した時に外枠２の縦枠２ｃの内側面に突設された中縦枠部２ｃｏの室内側面下端部に係合するロック部片２４が取付部片２４ｏから垂直一体に延びるように配置されて、この取付部片２４ｏが取付台座２５を介して回転金具１０の他端部１０ｂに固着され、そしてロック部片２４の先端部に、外枠２の中縦枠部２ｃｏの室内側面下端部に設けられた被係止部１２に対し上方より係止する係止部１１が設けられている。この係止部１１は略Ｕ字形の溝からなる。また、取付部片２４ｏには、後記ラッチ錠１４のラッチ１５が貫通して突出するラッチ突出孔２６が設けられている（図６参照）。
【００２２】
また回転金具１０の他端部１０ｂ側には、ルーバー５が閉じて回転金具１０が起立姿勢から横転姿勢に回転した時にラッチ１５をルーバー周枠４側に設けられた係合用開口部１７に係合させることによって、回転金具１０を横転姿勢に保持するラッチ錠１４が設けられている。尚、係合用開口部１７は、周枠４の下框４ｂに設けてある支持部材２２の下端部に取り付けられたコ字状枠片４２に開口形成されている。
【００２３】
略Ｕ字形溝からなる係止部１１が係止する被係止部１２は、外枠２の縦枠２ｃの内側面に突設された中縦枠部２ｃｏの室内側面に突設されたピンからなるもので、このピン１２の突端に抜け止めヘッド１２ａが一体形成されている。尚、この抜け止めヘッド１２ａ付きピンからなる被係止部１２は、縦枠２ｃの内側面に固着された取付台座２７に突設されている。
【００２４】
前記ラッチ錠１４は、図６に示すように、常時はコイルバネ１９により錠本体１８から突出付勢されてルーバー周枠４側の係合用開口部１７に係合するラッチ１５を解錠操作するためのレバー２０を有し、このレバー２０は、横転姿勢にある回転金具１０の上部側に位置して、この位置から押し下げることにより、コイルバネ１９に抗してラッチ１５を前記係合用開口部１７から引き抜いて、解錠するようになっている。
【００２５】
また図６に示すように、解錠操作レバー２０は、錠本体１８に基端部を枢支軸３２によって枢着されたクランクレバー２８の先端部に一体に取り付けられており、このクランクレバー２８の先端側に長孔２９が設けてあって、この長孔２９には、錠本体１８内のスライド室４１内をスライドするラッチ１５に突設された連動用ピン４０が係入されている。しかして、ラッチ１５は、常時はコイルバネ１９の付勢力によりルーバー周枠４側の係合用開口部１７に係合するように突出していて、レバー２０を押し下げることにより、係合用開口部１７から抜け出て、解錠することになる。
【００２６】
このラッチ錠１４は、回転金具１０が起立姿勢から横転姿勢に回転して、係止部１１が外枠２側の被係止部１２に係止することにより可動ルーバー面格子２が閉鎖位置にロックされた状態において、回転金具１０が面格子１の室外側から解錠方向（上向き）に回転操作されることを阻止するためのものである。この場合に、回転金具１０は、ルーバー５が開放した状態でルーバーロック機構３２によって固定されておれば、面格子１の外側から周枠４の下框４ｂと最下段のルーバー５との隙間より手を差し込むなどして回転金具１０をある程度まで持ち上げて、係止部１１が被係止部１２から離脱しても、ロック部片２４が外枠２の中縦枠部２ｃｏの室内側面に対し係合状態にあるため、面格子１の閉鎖状態が解放されることはないが、ラッチ錠１４が施錠されることによって、回転金具１０の解錠方向（上向き）に回転を確実に阻止して、防犯性能を高めることができる。
【００２７】
次に、ルーバー８を回転させるルーバー回転操作機構について図８〜図１０を参照して説明する。図８〜図１０において、３１は、ルーバー８をその支軸６を中心に回転させて前記連動回転機構７（図４、図５、図７参照）を介し全ルーバー８を一斉に開閉回転させる回転操作ハンドルであり、３２は回転操作ハンドル３１と面格子周枠４の縦框４ｃとの間に介装して、ルーバー５を所要角度位置にロックするルーバーロック機構である。
【００２８】
ルーバーロック機構３２は、図９及び図１０に示すように、ルーバー５の端部に取り付けられた基台３３内部にルーバー５の長手方向に摺動可能に保持されて、周枠４の縦框４ｃの支持部材２２に対して進退移動するストッパーロッド３４と、ルーバー５の支軸６から一定半径の円周上に所要間隔で凹設されて、ストッパーロッド３４の前進時にその先端部が係合する複数の係合凹部Ａ〜Ｅと、ストッパーロッド３４を縦框４ｃ側から後退する方向に付勢するコイルバネ３５とから構成される。
【００２９】
回転操作ハンドル３１は、その基端部３１ａが回転支軸３７によってルーバー５の回転方向と直交し且つその側面に沿った方向に回転可能に基台３３に枢着され、このハンドル３１の回転支軸３７の一端部３７ａ外周面にストッパーロッド３４の後端部が係合するカム３８，３９が９０度の間隔で形成されている。しかして、図８〜図１０に示すように、ハンドル３１が基台３３から垂直に立ち上がった状態でルーバーロック機構３２がロック解除されるから、この状態でハンドル３１を図９に示すようにルーバー５の支軸６を中心に回転させて所要角度回転位置で図１０の仮想線図示のように横向きに倒すことにより、ストッパーロッド３４の先端部を係合凹部Ａ〜Ｅの何れかに係合させて、ルーバー５を所要角度位置にロックすることができる。このロック操作において、ハンドル３１は、図８及び図１０に矢印Ｌ，Ｒで示すように、左方向（Ｌ）、右方向（Ｒ）の何れの方向へ倒しても、カム３８，３９の作用でストッパーロッド３４の先端部を係合凹部Ａ〜Ｅの何れかに係合させることができるようになっている。
【００３０】
上述したような構成よりなる窓装置において、可動ルーバー面格子１は、通常時には、面格子１の周枠４の下框４ｂを外枠２にロックする面格子ロック機構３によって閉鎖位置にロックされている。そして、この状態で、回転操作ハンドル３１によってルーバー５を開閉することができるし、ルーバーロック機構３２によってルーバー５あ所要角度回転位置にロックすることができる。
【００３１】
図５及び図６（実線図示状態）は、面格子１が面格子ロック機構３によって閉鎖位置にロックされていると共に、ラッチ錠１４によって回転金具１０の解錠方向（上向き）への回転が阻止されており、また各ルーバー５がルーバーロック機構３２によって閉鎖位置にロックされている状態を示す。尚、これらの図には、面格子周枠４の下框４ｂの一端側にある面格子ロック機構３及びラッチ錠１４を示しているが、下框４ｂの他端側にも面格子ロック機構３及びラッチ錠１４が同じ状態にあり、従って面格子１の開閉操作にあたっては、両端側のロック機構３及びラッチ錠１４を同時に操作するものとする。
【００３２】
図５及び図６（実線図示状態）に示す状態から、ラッチ錠１４のレバー２０を、コイルバネ１９に抗して押し下げると、図６の仮想線図示のようにラッチ１５が係合用開口部１７から抜け出て、ラッチ錠１４が解錠するから、横転姿勢にある回転金具１０をその他端部１０ｂ側を持ち上げて起立姿勢に回転すると、ロック部片２４の係止部１１が外枠２側の被係止部１２から離脱すると共に、ロック部片２４自体が縦枠２ｃの中縦枠部２ｃｏの室内側面から離脱して、面格子１がロック解除された状態となり、この状態を図４の(a) ，(b) に示す。こうして面格子１が外枠２に対しロック解除された状態から、面格子１を室外側へ押し開いて開放した状態を図３に示す。
【００３３】
しかして、図３に示すような外開き状態の面格子１を図４の(a) ，(b) に示すように外枠２に対して閉鎖し、この状態から起立姿勢にある回転金具１０を周枠４の下框４ｂ上に横転させる（レバー２０を押さえてラッチ錠１４を解錠した状態で）と、ロック部片２４が外枠２の縦枠２ｃの中縦枠部２ｃｏの室内側面に係合すると共に、ロック部片２４の先端部の係止部１１が中縦枠部２ｃｏの被係止部１２に係止し、これによって面格子１は、図５に示すように閉鎖位置にロックされる。また、この時、押さえていたラッチ錠１４のレバー２０を放すことによって、ラッチ錠１４を施錠状態とする。
【００３４】
図７は、面格子１が面格子ロック機構３によって閉鎖位置にロックされると共に、ラッチ錠１４によって回転金具１０が回転不能に施錠された状態において、各ルーバー５が、ルーバーロック機構３２によって開放位置にロックされた状態を示している。しかして、図示のような状態で、不法侵入者が、面格子１の外側から周枠４の下框４ｂと最下段のルーバー５との隙間より手を差し込んだり、棒を突っ込むなどして、横転姿勢にある回転金具１０を持ち上げ回転させようとしても、開放位置にある最下段のルーバー５の下側面に当たるため、起立させることができず、ロック解除することができない。
【００３５】
またこの時、不法侵入者が面格子１の外側から周枠４の下框４ｂと最下段のルーバー５との隙間より手を差し込んで、ラッチ錠１４のレバー２０を押し下げて解錠し、更に回転金具１０をある程度まで持ち上げることができて、ロック部片２４の先端部の係止部１１が外枠２側の被係止部１２から離脱させたとしても、ロック部片２４自体は外枠２の中縦枠部２ｃｏの室内側面に対して係合状態にあるから、ロック解除することができず、勝手に面格子１を開放させることができない。
【００３６】
以上説明したように、この窓装置によれば、面格子ロック機構３によって可動ルーバー面格子１を閉鎖位置にロックするには、各回転金具１０を起立姿勢から横転姿勢に回転させて、回転金具１０の一端部側にあるロック部片２４を外枠２の室内側面に係合させればよく、またロック状態を解除するには回転金具１０を横転姿勢から起立姿勢に回転すればよいから、面格子１のロック及び解除操作が簡単となる。また、この面格子ロック機構３は構造が簡単で部品点数も比較的少ないから、安価に提供できるものである。
【００３７】
また、面格子ロック機構３のロック部片２４には、回転金具１０が起立姿勢から横転姿勢に回転した時に外枠２の室内側面下端部に係合する時に外枠２の室内側面下端部に突設した被係止部１２に上方より係止する係止部１１を設けているから、係止部１１を被係止部１２に係止させることにより、ロック部片２４をロック位置に位置決めできて、的確に固定させることができる。
【００３８】
また、ラッチ錠１４は、常時はコイルバネ１９により錠本体１８から突出付勢されて係合用開口部１７に係合するラッチ１５を解錠操作するためのレバー２０を有し、このレバー２０は、横転姿勢にある回転金具１０の上部側に位置して、この位置から押し下げることにより、バネ１９に抗しラッチ１５を係合用開口部１７から引き抜いて解錠するようにしたもので、構造が簡単で、レバー２０を押すだけで簡単に解錠できるから、安価に提供できると共に、使い勝手が良い。
【符号の説明】
【００３９】
１            可動ルーバー面格子
２            外枠
３            面格子ロック機構
４            周枠
５            ルーバー
６            支軸
７            連動回転機構
１０          回転金具
１１          係止部
１２          被係止部
１４          ラッチ錠
１５          ラッチ
１７          係合用開口部
２０          ラッチ錠のレバー
２４          ロック部片
【図１】
2011094348.tif 000003
【図２】
2011094348.tif 000004
【図３】
2011094348.tif 000005
【図４】
2011094348.tif 000006
【図５】
2011094348.tif 000007
【図６】
2011094348.tif 000008
【図７】
2011094348.tif 000009
【図８】
2011094348.tif 000010
【図９】
2011094348.tif 000011
【図１０】
2011094348.tif 000012